(57)【特許請求の範囲】
【請求項１】
（Ａ）円筒外形をもつトイレットペーパーロール(TPR)を収納可能であって軸を左右方向に配置した略半円筒状の底面枠(2a)と、前記底面枠の左右端にそれぞれ連設された一対の側面枠(2c)とを備えたペーパー収納部(2)と、
（Ｂ）前記ペーパー収納部の前方に設けられ、前記底面枠(2a)の前縁から斜め下前方に延在し左右端近傍にそれぞれ位置する一対のペーパー端部載置面(3a1)の間に切欠部をもつペーパー端部載置板(3a)と、前記ペーパー端部載置板の下方にて左右方向に延在し左右端が前記一対の側面枠よりもそれぞれ突出する可動板軸(3e)と、前記切欠部に嵌合可能でありかつ前記可動板軸と共に回動可能に取付られた可動板(3d)と、前記可動板軸の左右端にＬ字形に屈曲してそれぞれ設けられた一対のクランクレバー(3f)とを備えたペーパー引出部(3)と、
（Ｃ）前記ペーパー収納部の後半部上方に設けられ、前記一対の側面枠(2c)の後半部上縁近傍にそれぞれ設けられた一対の左右方向の第１の回動軸(P1)と、前記第１の回動軸に対し回動可能に取付られ前記一対の側面枠に対してそれぞれ平行な一対の脚板(4a)と、前記一対の脚板の後縁同士を連結する支持板(4b)とを備えたカバー支持部(4)と、
（Ｄ）前記カバー支持部に取り付けられ、前記支持板(4b)の後面左右端近傍にそれぞれ設けられた一対の左右方向の第２の回動軸(P2)と、前記第２の回動軸に対し回動可能に取付られ前記一対の脚板の上縁(4c1)及び前記支持板の上縁(4b1)上に載置可能なカバー板(5a)と、前記カバー板の前半部左右端から下方に延在し前記側面枠(2c)よりも外側に位置する一対のレバー押板(5c)と、前記カバー板の下面と前記支持板の前面との間に架設されたスプリング(5d)とを備えたカバー部(5)とを有し、
（Ｅ）トイレットペーパーの端部(TP)を前記ペーパー端部載置板(3a)の前縁から所定の長さだけ引き出した状態にて、前記カバー板(5a)の前縁(5a1)を該ペーパー端部載置板(3a)の上面に沿って前方へ移動させることにより、前記第１の回動軸(P1)を中心に前記カバー支持部(4)が回動するとともに前記第２の回動軸(P2)を中心に前記カバー部(5)が回動しかつ前記スプリング(5d)が伸長し、前記レバー押板(5c)が前記クランクレバー(3f)を押して前記可動板(3d)を回動させ前記切欠部に嵌合させることにより、前記可動板の前縁(3d1)と前記カバー板の前縁(5a1)との間に前記トイレットペーパーを挟持することを特徴とするトイレットペーパーホルダー。
【請求項２】
前記ペーパー端部載置板の左右端に沿ってそれぞれ立設された一対の壁状のカバーガイド(3c)を備えたことを特徴とする請求項１に記載のトイレットペーパーホルダー。
【請求項３】
前記カバー板(5a)の上面に取っ手(5b)を備えたことを特徴とする請求項１又は２に記載のトイレットペーパーホルダー。
【請求項４】
前記底面枠(2a)の後縁から鉛直に起立する第１の背面枠(2b1)と、前記第１の背面枠の上縁から斜め上前方に延在する第２の背面枠(2b2)と、前記支持板(4b)の後面から突出して設けられた脚板ストッパ(4d)とをさらに備え、
前記カバー支持部(4)が前記第１の回動軸(P1)を中心に後方側へ回動したとき、前記脚板ストッパ(4d)が前記第２の背面枠(2b2)へ当たることにより、前記カバー支持部の後方側への回動範囲が制限されることを特徴とする請求項１〜３のいずれかに記載のトイレットペーパーホルダー。
【請求項５】
前記支持板の後面から突出して設けられたカバー板ストッパ(4e)をさらに備え、
前記カバー板(5a)が前記第２の回動軸(P2)を中心に後方側へ回動したとき、前記カバー板(5a)の後縁近傍(5a2)が前記カバー板ストッパ(4e)に当たることにより、前記カバー板の後方側への回動範囲が制限されることを特徴とする請求項１〜４のいずれかに記載のトイレットペーパーホルダー。
【請求項６】
前記底面枠(2a)に対し所定の左右方向の幅をもって前後方向に穿設された1又は複数の開口部(2a2)と、前記開口部内において軸を左右方向に配置した第１のローラ(2a3)とを備えたことを特徴とする請求項１〜５のいずれかに記載のトイレットペーパーホルダー。
【請求項７】
前記底面枠(2a)の前縁において軸を左右方向に配置した第２のローラ(2a4)を備えたことを特徴とする請求項１〜６のいずれかに記載のトイレットペーパーホルダー。
【発明の詳細な説明】
【技術分野】
【０００１】
本発明は、円筒外形をもつトイレットペーパーロールを収納し、トイレットペーパーを引き出して切り取るべく使用されるトイレットペーパーホルダーに関する。
【背景技術】
【０００２】
円筒外形をもつトイレットペーパーロール(以下、単に「ロール」と称する場合がある)を収納し、トイレットペーパー(以下、単に「ペーパー」と称する場合がある)を所望する長さだけ引き出して切り取るように構成されたトイレットペーパーホルダーは、特許文献１及び２等、種々の形態のものが知られているが、基本形態はほぼ共通している。芯付きのロールを収納するタイプでは、芯孔を軸支可能な枠体を備え、芯無しのロールを収納するタイプではロール外周を支持可能な枠体を備え、いずれのタイプのものも適宜の長さに引き出したペーパーを切り取るための刃や、刃と同等の役割を果たすエッジなどを備えている。
【特許文献１】特許第３２１８４６４号公報
【特許文献２】特許第３５１６４４７号公報
【発明の開示】
【発明が解決しようとする課題】
【０００３】
しかしながら、従来のトイレットペーパーホルダーには下記のような問題点がある。
（１）次回に使用する際に、ペーパー端部を取り出し難い。特に高齢者や目の不自由な人には、カバーを持ち上げることが困難であったり、ペーパー端部がどこにあるか分かり難かったりする。また、ロールが小さくなるにつれて引出し難くなったり、引出し端部が内部に巻き込まれてしまったりすることもある。
（２）切断刃が外部に露出しているタイプでは、手を傷つけるおそれがある。
（３）芯孔に軸を挿通するタイプでは、新しいロールの設置が煩雑である。
【０００４】
本発明は、トイレットペーパーホルダーにおいて、使用する際にペーパー端部を取り出し易く、外部に露出した切断刃がなくともトイレットペーパーを確実に切り取ることができ、かつロールの取り替え操作を簡単に行うことができることを目的とする。
【課題を解決するための手段】
【０００５】
上記の課題を解決するべく本発明は以下の構成を提供する。括弧内の符号は、後述する図面中の符号であり、参考のために付している。
本発明によるトイレットペーパーホルダー(1)の一態様においては、主要部分として、ペーパー収納部(2)と、ペーパー引出部(3)と、カバー支持部(4)と、カバー部(5)とを有する。
【０００６】
ペーパー収納部は、円筒外形をもつトイレットペーパーロール(TPR)を収納可能であって軸を左右方向に配置した略半円筒状の底面枠(2a)と、底面枠の左右端にそれぞれ連設された一対の側面枠(2c)とを備えている。
【０００７】
ペーパー引出部は、上記ペーパー収納部の前方に設けられている。ペーパー引出部は、上記底面枠(2a)の前縁から斜め下前方に延在し左右端近傍にそれぞれ位置する一対のペーパー端部載置面(3a1)の間に切欠部をもつペーパー端部載置板(3a)と、ペーパー端部載置板の下方にて左右方向に延在し左右端が上記一対の側面枠よりもそれぞれ突出する可動板軸(3e)と、切欠部に嵌合可能でありかつ可動板軸と共に回動可能に取付られた可動板(3d)と、可動板軸の左右端にＬ字形に屈曲してそれぞれ設けられた一対のクランクレバー(3f)とを備えている。
【０００８】
カバー支持部は、上記ペーパー収納部の後半部上方に設けられている。カバー支持部は、上記一対の側面枠(2c)の後半部上縁近傍にそれぞれ設けられた一対の左右方向の第１の回動軸(P1)と、第１の回動軸に対し回動可能に取付られ上記一対の側面枠に対してそれぞれ平行な一対の脚板(4a)と、一対の脚板の後縁同士を連結する支持板(4b)とを備えている。
【０００９】
カバー部は、上記カバー支持部に取り付けられている。カバー部は、上記支持板(4b)の後面左右端近傍にそれぞれ設けられた一対の左右方向の第２の回動軸(P2)と、第２の回動軸に対し回動可能に取付られ上記一対の脚板の上縁(4c1)及び上記支持板の上縁(4b1)上に載置可能なカバー板(5a)と、カバー板の前半部左右端から下方にそれぞれ延在し前記側面枠よりも外側に位置する一対のレバー押板(5c)と、カバー板の下面と上記支持板(4b)の前面との間に架設されたスプリング(5d)とを備えている。
【００１０】
さらに、上記トイレットペーパーホルダーの一態様においては、トイレットペーパーの端部(TP)をペーパー端部載置板(3a)の前縁から所定の長さだけ引き出した状態にて、上記カバー板(5a)の前縁(5a1)をペーパー端部載置板(3a)の上面に沿って前方へ移動させることにより、上記第１の回動軸(P1)を中心に上記カバー支持部(4)が回動するとともに上記第２の回動軸(P2)を中心に上記カバー部(5)が回動しかつ上記スプリング(5d)が伸長し、上記レバー押板(5c)が上記クランクレバー(3f)を押して上記可動板(3d)を回動させ上記切欠部に嵌合させることにより、可動板の前縁(3d1)とカバー板の前縁(5a1)との間にトイレットペーパーを挟持するように構成されている。
【００１１】
上記態様において、ペーパー端部載置板の左右端に沿ってそれぞれ立設された一対の壁状のカバーガイド(3c)を備えていることが好適である。
【００１２】
上記態様において、上記カバー板(5a)の上面に取っ手(5b)を備えていることが好適である。
【００１３】
上記態様において、上記底面枠(2a)の後縁から鉛直に起立する第１の背面枠(2b1)と、第１の背面枠の上縁から斜め上前方に延在する第２の背面枠(2b2)と、上記支持板(4b)の後面から突出して設けられた脚板ストッパ(4d)とをさらに備え、カバー支持部(4)が上記第１の回動軸(P1)を中心に後方側へ回動したとき、脚板ストッパ(4d)が第２の背面枠(2b2)へ当たることにより、カバー支持部の後方側への回動範囲が制限されることが好適である。
【００１４】
上記態様において、上記支持板の後面から突出して設けられたカバー板ストッパ(4e)をさらに備え、上記カバー板(5a)が上記第２の回動軸(P2)を中心に後方側へ回動したとき、カバー板(5a)の後縁近傍(5a2)がカバー板ストッパ(4e)に当たることにより、カバー板の後方側への回動範囲が制限されることが好適である。
【００１５】
上記態様において、上記底面枠(2a)に対し所定の左右方向の幅をもって前後方向に穿設された1又は複数の開口部(2a2)と、前記開口部内において軸を左右方向に配置した第１のローラ(2a3)とを備えていることが好適である。
【００１６】
上記態様において、上記底面枠(2a)の前縁において軸を左右方向に配置した第２のローラ(2a4)を備えていることが好適である。
【発明の効果】
【００１７】
本発明のトイレットペーパーホルダーは、ペーパー収納部と、ペーパー引出部と、カバー支持部と、カバー部とを有する。
トイレットペーパーロールは、ペーパー収納部の略半円筒状の底面枠と、カバー部のカバー板との間に収容されるので、新しいロールを設置する際は、カバー板を上方に開いてロールを底面枠内に置くだけでよいので、ロール芯の有無に関係なく簡単に行うことができる。
【００１８】
ペーパー引出部には、ペーパー端部載置板が設けられている。ペーパー端部載置板は、左右端近傍に一対のペーパー端部載置面を備え、それらの間に切欠部が存在する。従って、ペーパー端部を引き出して使用するとき以外（以下「非使用時」と称する）は、ペーパー端部の左右端近傍部分が、これら一対のペーパー端部載置面上に載置される。非使用時には、切欠部に可動板が嵌合していない（可動板が降りている状態）ので、ペーパー端部を引き出して使用するとき(以下「使用時」と称する)には、切欠部に位置するペーパー端部の中央部分を容易に摘むことができる。よってペーパー端部を引出し易い。このことは、特に高齢者や目の不自由な人にとって有用である。
【００１９】
カバー部は、第２の回動軸を介してカバー支持部に対して回動可能に取り付けられ、カバー支持部は、第１の回動軸を介して側面枠に対して回動可能に取り付けられ、さらに、カバー部とカバー支持部との間にはスプリングが架設されている。このように、カバー部は、側面枠に対してこれら第１と第２の２つの回動軸を介して取り付けられているので、１つの回動軸のみで取り付けられている場合に比べて、新しいロールを設置する際にカバー部を大きく開くことができる。スプリングの作用により、手を離すとカバー部は自動的に非使用時の位置に戻る。
【００２０】
また、カバー部が側面枠に対してこれら第１と第２の２つの回動軸を介して取り付けられているので、カバー部のカバー板は単なる回動を行うのみでなく、カバー板を前後方向に移動させることも可能となる。これにより、カバー板の前縁を、ペーパー端部載置板の上面に沿って前方に移動させることができる。そして、カバー板が前方に移動すると、カバー板に設けられているレバー押板が、可動板軸の両端のクランクレバーを押すことにより可動板が回動して上昇し、可動板がペーパー端部載置板の切欠部に嵌合する。このとき、可動板の上面とペーパー端部載置板の上面は同一面上にあり、可動板の前縁とペーパー端部載置板の前縁は同一直線上にある。つまり、可動板とペーパー端部載置板が一体化して一枚の板となる。さらに、カバー板の前縁もほぼ同じ位置に揃っている(可動板の前縁より若干後退した位置が好適である)。従って、カバー板の前縁と、可動板及びペーパー端部載置板の前縁との間にペーパーを挟むことができ、カバー板の前縁を刃のように用いてペーパーを切り取ることができる。
【００２１】
このように、本発明では、切断のための刃が非使用時には後退しており、使用時にのみ前進してくるので、非使用時に手を傷つけるおそれがない。また、使用時には、ペーパーの切り取り部分をしっかりと把持できるので、確実に切り取ることができる。
【００２２】
ペーパーを切り取った後は、手を離すとスプリングの作用によりカバー板は自動的に非使用時の位置に戻る。そして、ペーパー端部は、ペーパー端部載置板の上に置かれた状態となる。可動板も回動して切欠部から離脱し、非使用時の位置に戻る。
【００２３】
さらに、ペーパー引出部のペーパー端部載置板の左右端に沿って壁状のカバーガイドを立設したことにより、カバー板がカバーガイドに沿って真っ直ぐに前後方向に移動することができる。
【００２４】
さらに、カバー部のカバー板の上面に取っ手を備えることにより、カバー板を開くために回動させる操作や、カバー板を前方に移動させる操作を容易に行うことができる。
【００２５】
さらに、ペーパー収納部の底面枠の後縁に第１及び第２の背面枠を設け、カバー支持部の支持板に脚板ストッパを設けることにより、カバー支持部が第１の回動軸を中心として後方側へ回動したとき脚板ストッパが第２の背面枠へ当たる。この結果、カバー支持部の後方側への回動範囲が制限される。脚板ストッパが第２の背面枠へ当たると、カバー支持部が安定するので、第２の回動軸を中心としてカバー板を円滑に回動させることができ、カバー板を大きく開くことができる。
【００２６】
さらに、カバー支持部の支持板の後面にカバー板ストッパを設けたことにより、カバー板が第２の回動軸を中心として後方側へ回動したとき、カバー板の後縁近傍がカバー板ストッパに当たる。この結果、カバー板の後方側への回動範囲が制限される。これにより、カバー板を必要な大きさだけ開口させることができる。
【００２７】
さらに、ペーパー収納部の底面枠に対し前後方向に穿設した開口部に第１のローラを設けたことにより、底面枠内でロールが円滑に回ることができ、ペーパーを取り出しやすくなる。
【００２８】
さらに、ペーパー収納部の底面枠の前縁に第２のローラを設けたことにより、ペーパーが底面枠の前縁に引っ掛かることなく円滑にペーパー端部載置板上へ引き出される。
【発明を実施するための最良の形態】
【００２９】
以下、図面を参照して本発明の実施の形態を説明する。
図１は、本発明のトイレットペーパーホルダーの一実施例の一部切欠き斜視図である。図２は正面図、図３は背面図、図４は側面図である。図５は、図３のＡ断面図である。図６は、図３のＢ断面図である。図７は、図４のＣ断面図である。
なお、図４〜図６では、収納されたトイレットペーパーロールＴＰＲを示しているが、他の図では省略している。
また、説明の便宜上、図１及び図２に示したように前後方向、左右方向及び上下方向を定める。
以下、図１を中心に、図２〜図７も参照してトイレットペーパーホルダー１の構成を説明する。
【００３０】
図１に示すように、トイレットペーパーホルダー１は、ペーパー収納部２と、ペーパー引出部３と、カバー支持部４と、カバー部５とを主要部分として構成されている。トイレットペーパーホルダー１は、基本的に左右対称形状である。
図１では、トイレットペーパーホルダー１の上面を覆うカバー板５ａの前縁中央部分と、後半部とを切り欠いて内部が見えるように示している。
【００３１】
ペーパー収納部１は、円筒外形をもつトイレットペーパーロールＴＰＲを収納する筐体部分である。この筐体部分は、円筒外形のロールを収納可能な適宜の内径をもつ略半円筒状の底面枠２ａと、底面枠２ａの左右端にそれぞれ連設された一対の側面枠２ｃとを備える。略半円筒状の底面枠２ａは、開口を上方に向け、軸を左右方向に配置されている。一方の側面枠２ｃは、上側面枠２ｃ１と下側面枠２ｃ２に分割され、その間には窓がある。図４の側面図に示すように、この窓から内部のロールＴＰＲの量を確認することができる。
【００３２】
図４の側面図に示されるように、底面枠２ａの最深部分は半円筒周面で構成されており、ロールＴＰＲの外周面に沿っているが、前方壁部分はロールＴＰＲの外周面から離れて平板状に斜め上前方に突き出ている。ペーパー端部ＴＰはこの前方壁部分に沿って引き出される。
【００３３】
図１〜図３に示すように、底面枠２ａには、所定の左右方向の幅をもって前後方向に２つの開口部２ａ２が穿設されている。また、図４〜図６の側面図又は断面図に示すように、１つの開口部２ａ２内には、３つのローラ２ａ３が、その軸を左右方向にして設けられている。図５の断面図に示すように、ローラ２ａ３の直径は、底面枠２ａの厚みより大きく、その周面が底面枠２ａの内側及び外側に突出している。また、図６の断面図に示すようにローラ２ａ３の軸は底面枠２ａ１に埋設されている。
図４に示すように、前後方向に所定の間隔で配置された３つのローラ２ａ３は、ロールＴＰＲの外周面に当接している。これらのローラ２ａ３により、ロールＴＰＲの回転及びペーパー端部ＴＰの引出を円滑とする。なお、図示の開口部２ａ２及びローラ２ａ３の数及び位置は、一例であり、開口部２ａ２は１つでも複数でもよい。ローラ２ａ３は、前後方向に少なくとも２つ配置されることが好適である。
【００３４】
なお、図１、図２、図４及び図７等に示すように、底面枠２ａの前縁(平板状の前方壁部分の上縁)にもローラ２ａ４が、左右方向を軸として設けられている。これによりペーパー端部ＴＰが引っ掛かることなく外部へ引き出される。
【００３５】
さらにまた、底面枠２ａの後縁からは、平板状の第１の背面枠２ｂ１が鉛直に起立し、この第１の背面枠２ｂ１の上縁からは、斜め上前方に向かって平板状の第２の背面枠２ｂ２が延在している。図３に示すように、第１の背面枠２ｂ１には、トイレットペーパーホルダー１を壁面等に取り付けるためのビス孔２ｂ３が、適宜の数だけ穿設されている。図４に示すように、ビス孔２ｂ３を通してビス２ｂ４により壁面に固定される。第２の背面枠２ｂ２は、後述するカバー支持部の脚板ストッパ４ｄと連係する。
【００３６】
図１において、ペーパー引出部２は、ペーパー収納部１の前方に設けられている。ペーパー引出部３は、ペーパー端部載置板３ａを備えている。ペーパー端部載置板３ａは、底面枠２ａの前縁から斜め下前方に延在している(図４参照)。ペーパー端部載置板３ａは、ペーパー収納部１の側面枠２ｃに連設された側面支持板３ｂにより支持されている。
【００３７】
図２の正面図及び図７の断面図に示すように、ペーパ端部載置板３ａの左右端近傍にはそれぞれペーパー端部載置面３ａ１が延在し、これら一対のペーパー端部載置面３ａ１の間に切欠部が穿設されている。切欠部は台形であり、後方側が幅狭となっている。切欠部の後方には、一対のペーパー端部載置面３ａ１を連結する連結部３ａ２がある。
【００３８】
この切欠部の形状に嵌合可能な形状をもつ可動板３ｄが設けられる。可動板３ｄは、可動板軸３ｅと共に回動可能に取付られている。図１〜図７では、可動板３ｄの面が下降して鉛直方向に向いた非使用時の状態を示している。図５に最もよく示されるように、非使用時におけるペーパー端部ＴＰは、その左右端部分はペーパー端部載置面３ａ１の上に載っているが、中央部分の下方には可動板３ｄがなく切欠部となっている。従って、使用者は、ペーパー端部ＴＰの中央部分を摘んで容易にペーパー端部ＴＰを引き出すことができる。後述するように、可動板３ｄは、前方側に回動して上昇し、切欠部に嵌合することができる。なお、図７の断面図では、理解し易いように、ペーパー端部載置板３ａと可動板３ｄにグレー色を付している。
【００３９】
図７に示すように、可動板軸３ｅは、ペーパー端部載置板３ａの下方に位置し、可動板３ｄの後縁左右端から左右方向にそれぞれ延在している。図示の例では可動板軸３ｅは、右部分と左部分とに分割されているが、１本の連続した軸としてもよい。可動板軸３ｅの左右端は、それぞれ側面支持板３ｂから突出しており(すなわちペーパー収納部１の側面枠２ｃよりも突出している）、その先端部はＬ字状に屈曲したクランクレバー３ｆを形成している。
【００４０】
さらに、ペーパー端部載置板３ａの左右端に沿って、それぞれ壁状のペーパーガイド３ｃが立設されている。ペーパーガイド３ｃは、後述するカバー板の移動を案内する。ペーパーガイド３ｃは、側面視にて略３角形であり、前方に行くほどその高さが低くなっている。
【００４１】
図１において、カバー支持部４は、ペーパー収納部１の後半部上方に設けられている。カバー支持部４は、ペーパー収納部１の一対の側面枠２ｃに設けられた一対の第１の回動軸Ｐ１に取り付けられる。第１の回動軸Ｐ１は左右方向である。カバー支持部４は、左右端に位置する一対の脚板４ａと、各脚板４ａの後縁同士を連結する支持板４ｂとを備える。脚板４ａと側面枠２ｃとは平行である。例示した脚板４ａは、図４に示すように側面視にて略三角形の板であり、最も鋭角の頂点に軸孔が穿設されている。そして、この脚板４ａの軸孔と、側面枠２ｃの後半部上縁近傍に穿設された軸孔とを重ねて双方にピン部材を差し込むことで、脚板４ａが第１の回動軸Ｐ１を中心に回動可能となる。脚板４ａの上縁は緩やかな曲線となっており、この曲線は、脚板４ａの上縁に載置される後述するカバー板５ａの湾曲に合致する。カバー板５ａは、一対の脚板４ａの上縁４ａ１と支持板４ｂの上縁４ｂ１の上に載置されることになる。
【００４２】
図３の背面図に示すように、カバー支持部４の支持板４ｂの後面には、下縁左右端近傍にそれぞれ脚板ストッパ４ｄが突出している。この脚板ストッパ４ｄは、脚板４ａの後方側への回動範囲を制限する役割を果たすものであり、後の図９Ａで詳述する。
【００４３】
さらに、カバー支持部４の支持板４ｂの後面の中央からカバー板ストッパ４ｅが突出している。カバー板ストッパ４ｅは、左右方向に所定の幅で延在している。このカバー板ストッパ４ｅは、後述するカバー板５ａの後方側への回動範囲を制限する役割を果たすものであり、後の図９Ｂで詳述する。なお、図示の支持板４ｂのカバー板ストッパ４ｅより下側は切欠部４ｆとなっているが、これは任意である。
【００４４】
図１及び図４に示すように、カバー部５は、カバー支持部４に取り付けられている。カバー部５は、カバー支持部４の支持板４ｂの後面左右端近傍にそれぞれ設けられた一対の第２の回動軸Ｐ２に取り付けられる。第２の回動軸Ｐ２もまた左右方向である。支持板４ｂの後面から一対の板状の軸受け片４ｃが突出し、この軸受け片４ｃに軸孔が穿設されている。一方、カバー板５ａの左右端から下方に突出した一対の軸受け片５ｅにも軸孔が穿設されている。これらの軸孔を重ねて双方に適宜にピン部材を差し込むことにより、カバー板５ａが第２の回動軸Ｐ２を中心として回動可能となる。
【００４５】
カバー板５ａは、平面視では長方形であるが、側面視では下方に凹の湾曲をもっている。図１及び図４に示すように、カバー板５ａの後縁５ａ２は、第２の回動軸Ｐ２よりも後方に位置し、カバー板５ａの前縁５ａ１は、ペーパー収納部２の底面枠２ａの前縁上方に位置する。カバー板５ａは、一対の脚板４ａの上縁４ａ１と支持板４ｂの上縁４ｂ１の上に載置可能であり、非使用時にはカバー板５ａの下面がこれらの上縁と当接している。カバー板５ａが第２回動軸Ｐ２を中心に回動した場合には、カバー板５ａの下面はこれらの上縁から離れる。
【００４６】
さらに、カバー板５ａの前半部左右端から下方に向かって一対のレバー押板５ｃが延在している。一対のレバー押板５ｃは、一対の側面枠２ｃよりも左右方向において外側に位置する。レバー押板５ｃは、側面視にて略三角形であり、最も鋭角の頂点が下方に位置し、この頂点に対向する辺がカバー板５ａの左右端に取り付けられている。レバー押板５ｃの前方側の辺は前方に向かって凹の曲線を形成している。このレバー押板５ｃは、カバー板５ａが前方へ移動するとき、Ｌ字状のクランクレバー３ｆと係合して、これを前方に押す役割を果たす。
【００４７】
さらに、カバー板５ａの中央部分において、長方形区画を規定してその３辺を切り込み、残りの１辺を基端部として長方形区画を上方に反らして起立させた取っ手５ｂが形成されている。この取っ手５ｂは、カバー板５ａを前方に移動したり、後方側へ回動させたりする際に、使用者が手を掛けたり持ったりする部位である。なお、取っ手５ｂの形成方法は、図示の例に限られず、別部品の取っ手をカバー板５ａの上面に接合してもよい。
【００４８】
さらに、カバー板５ａの下面と、カバー支持部の支持板４ｂの前面との間にスプリング５ｄが架設されている。スプリング５ｄは、図４に示す非使用時のとき、若干伸長された状態となるように設置されている。従って、スプリング５ｄは、カバー板５ａを脚板４ａの方へ引っ張る役割を果たしている。
【００４９】
図８は、使用時すなわちペーパー端部を引き出して切り取るときの状態を示す側面図である。図中、破線は非使用時の状態を示し、非使用時の状態を示す符号は括弧付きで示している。使用者は、先ず、ペーパー端部ＴＰをペーパー端部載置板３ａの前縁から所望する長さだけ引き出す。次に、使用者は、取っ手５ｂを持ってこれを前方に押し出す(矢印参照)ことにより、カバー板５ａの前縁５ａ１をペーパー端部載置板３ａの上面に沿って前方へ移動する。カバー板５ａは、カバーガイドに沿って移動する。これにより、カバー板５ａの左右端に設けたレバー押板５ｃが前方に移動して、クランクレバー３ｆと係合し、クランクレバー３ｆを回動させる。この結果、可動板軸３ｅが回転し、可動板３ｄが前方側へ回動する（矢印参照）。この過程において、カバー支持部４は、第１の回動軸Ｐ１を中心に前方側へ回動し、カバー部５は、第２の回動軸Ｐ２を中心に後方側へ回動してカバー支持部４から離れる。また、スプリング５ｄは伸長する。
【００５０】
図８の状態のとき、すなわちカバー板５ａが最前位置にきたとき、可動板３ｄがペーパー端部載置板３ａの切欠部に嵌合するように設計されている。この状態においては、ペーパー端部載置板３ａの上面と可動板３ｄの上面は同一面上にあり、可動板３ｄの前縁３ｄ１とペーパー端部載置板３ａの前縁は同一直線上にある。つまり、可動板３ｄとペーパー端部載置板３ａが一体化して一枚の板となる。この結果、可動板３ｄ及びペーパー端部載置板３ａの前縁と、カバー板５ａの前縁５ａ１との間にトイレットペーパーを挟持することができる。続いて、カバー板５ａの前縁５ａ１を刃としてトイレットペーパーを切り取る。図８に示すように、カバー板５ａの最前位置において、その前縁５ａ１が、ペーパー端部載置板３ａの前縁より若干後退した位置となることが好適である。これにより、刃の役割を果たす前縁５ａ１が外部に露出しないので安全である。また、ペーパーの下面は、可動板３ｄ及びペーパー端部載置板３ａにより支持されているので、切り取る際にペーパーが捻れたりすることがない。
【００５１】
ペーパーを切り取った後、使用者が取っ手５ｂから手を離すと、スプリング５ｄが収縮することによりカバー板５ａは非使用時の位置に戻る。同時に、可動板３ｄも回動して非使用時の位置に戻る。これにより、図４に示した、ペーパー端部ＴＰがペーパー端部載置板３ａ上に載置された状態となり、次回使用時に容易に引き出せる状態となる。
【００５２】
図９Ａ及び図９Ｂは、新しいトイレットペーパーロールＴＰＲを収納するためにカバー部５（実質的には、そのカバー板５ａ)を開く状況を示している。カバー部５は、非使用時の状態から２段階を経て全開状態となる。
【００５３】
図９Ａは、カバー部５の開操作の第１段階を示しており、図３のＡ断面に相当する図である。図中、破線は、非使用時の状態である。使用者は、先ず、取っ手５ｂを持ってこれを上方へ持ち上げる(矢印参照)。これにより、カバー支持部４が第１の回動軸Ｐ１を中心に後方側へ回動する。第１段階においては、カバー部５は、カバー支持部４と一体的に回動する。カバー支持部４の回動は、脚板ストッパ４ｄが第２の背面枠２ｂ２に当たるまで行うことができる。脚板ストッパ４ｄの下面の角度によって回動範囲を設定することができる。
【００５４】
図９Ｂは、カバー部５の開操作の第２段階を示しており、図３のＡ断面に相当する図である。図中、破線は、図９Ａに示した第１段階の完了後の状態である。脚板ストッパ４ｄが第２の背面枠２ｂ２に当たると、カバー支持部４はそれ以上後方側へ回動しない。この状態で、使用者が、取っ手５ｂをさらに上方に持ち上げる(矢印参照)と、カバー部５が第２の回動軸Ｐ２を中心に後方側へ回動する。カバー部５の回動は、カバー板５ａの後縁近傍５ａ２がカバー板ストッパ４ｅに当たるまで行うことができる。カバー板ストッパ４ｅの突出程度によって回動範囲を設定することができる。この第２段階の完了時には、カバー板５ａがほとんど起立する状態となり、ペーパー収納部２の上方に大きな開放空間が得られる。これにより、トイレットペーパーロールＴＰＲを容易にペーパー収納部２に入れることができる。通常、ペーパー端部はロール外周に仮留めされているので、ロールを入れる前に予めペーパー端部をロールから剥がしておくことが望ましい。ロールを入れた後、ペーパー端部をペーパー端部載置板３ａ上に置いてから取っ手５ｂを離すと、カバー部５及びカバー支持部４は、前方側に回動して非使用時の状態に戻る。こうして、図４に示した状態となる。
【図面の簡単な説明】
【００５５】
【図１】本発明のトイレットペーパーホルダーの一実施例の一部切欠き斜視図である。
【図２】図１のトイレットペーパーホルダーの正面図である。
【図３】図１のトイレットペーパーホルダーの背面図である。
【図４】図１のトイレットペーパーホルダーの側面図である。
【図５】図３のＡ断面図である。
【図６】図３のＢ断面図である。
【図７】図４のＣ断面図である。
【図８】使用時すなわちペーパー端部を引き出して切り取るときの状態を示す側面図である。
【図９Ａ】カバー部の開操作の第１段階を示し、図３のＡ断面に相当する図である。
【図９Ｂ】カバー部の開操作の第２段階を示し、図３のＡ断面に相当する図である。
【符号の説明】
【００５６】
１  トイレットペーパーホルダー
２  ペーパー収納部
２ａ  底面枠
２ｂ  背面枠
２ｃ  側面枠
３  ペーパー引出部
３ａ  ペーパー端部載置板
３ｂ  引出部支持板
３ｃ  カバーガイド
３ｄ  可動板
３ｅ  可動板回動軸
３ｆ  クランクレバー
４  カバー支持部
４ａ  脚板
４ｂ  支持板
４ｃ  軸受け片
４ｄ  脚板ストッパ
４ｅ  カバー板ストッパ
５  カバー部
５ａ  カバー板
５ｂ  取っ手
５ｃ  レバー押板
５ｄ  スプリング
５ｅ  軸受け片
Ｐ１  第１の回動軸
Ｐ２  第２の回動軸
【図１】
0004386931.tif 000002
【図２】
0004386931.tif 000003
【図３】
0004386931.tif 000004
【図４】
0004386931.tif 000005
【図５】
0004386931.tif 000006
【図６】
0004386931.tif 000007
【図７】
0004386931.tif 000008
【図８】
0004386931.tif 000009
【図９Ａ】
0004386931.tif 000010
【図９Ｂ】
0004386931.tif 000011